(57)【要約】【課題】  音楽視聴中に着信があっても、イヤフォンを外さなくてよくする。【解決手段】  音楽再生装置の再生音声が入力端子３０を介して可変利得増幅器３４及びモニタ回路３６に入力する。発光素子３２には携帯端末から受信音声を搬送する赤外線信号が入力する。復調器４０は、受光素子３２の出力電気信号を復調して音声信号を再生し、復調状態と結果を中央制御装置３８に通知する。中央制御装置３８の制御下で、可変利得増幅器３４は音声入力端子３０からの音声信号を増幅し、可変利得増幅器４２は復調器４０からの音声信号を増幅する。ミキサ４４は、可変利得増幅器３４，４２の出力音声信号を混合し、混合した音声信号をスピーカ２２に出力する。制御装置３８は、復調器４０から音声入力を通知されると、可変利得増幅器３４の利得を下げる又はゼロにする。【選択図】  図２
2007036908.tif 000002
【特許請求の範囲】
【請求項１】
第１の音声信号が入力する第１音声入力手段（３０）と、
第２の音声信号が入力する第２音声入力手段（３２，４０）と、
スピーカ（２２）と、
当該第１音声入力手段（３０）により入力される当該第１の音声信号と、当該第２音声入力手段により入力される当該第２の音声信号を指定合成比で合成し、当該スピーカに出力する合成装置（３４，４２，４４）と、
当該第２音声入力手段からの音声入力に応じて、当該第１の音声信号の音量を下げるように当該合成装置の当該指定合成比を制御する制御装置（３８）
とを具備することを特徴とする音声出力装置。
【請求項２】
当該第２音声入力手段が、受光素子（３２）と、当該受光素子（３２）の出力から当該第２の音声信号を復調する復調器（４０）とを具備することを特徴とする請求項１に記載の音声出力装置。
【請求項３】
当該合成装置が、
当該第１の音声信号を増幅する第１の可変利得増幅器（３４）と、
当該第２の音声信号を増幅する第２の可変利得増幅器（４２）と、
当該第１及び第２の可変利得増幅器（３４，４２）の出力を混合する混合器（４４）
とを具備し、
当該制御装置は、当該第１及び第２の可変利得増幅器（３４，４２）の利得を制御する
ことを特徴とする請求項１又は２に記載の音声出力装置。
【請求項４】
当該制御装置（３８）は、当該第２音声入力手段からの音声入力に応じて、当該第１の音声信号をミュートするように当該合成装置の当該指定合成比を制御することを特徴とする請求項１乃至３の何れか１項に記載の音声出力装置。
【請求項５】
当該制御装置（３８）は、当該第２の音声信号の入力がないとき、当該合成装置における当該第２の音声信号の合成割合をゼロにすることを特徴とする請求項１乃至４の何れか１項に記載の音声出力装置。
【発明の詳細な説明】
【技術分野】
【０００１】
本発明は、音声出力装置に関し、より具体的には、ヘッドフォン又はイヤフォンのような、外界音が耳内入るのを妨げる遮音型の音声出力装置に関する。
【背景技術】
【０００２】
ヘッドフォンやイヤフォンでは、外界の音が、部分的に漏洩することはあるにしても、遮断される。最近では、ほとんど外界音が聞こえないほどに遮音性能の高いものが製品化されている。この種の音声出力装置は、出先で携帯型の音楽再生装置の再生音楽を視聴するのに利用される。
【発明の開示】
【発明が解決しようとする課題】
【０００３】
携帯電話の普及により、音楽視聴中に着信があることがよくある。遮音性能の高いイヤフォンを両耳に装着している場合、イヤフォンを付けたままの耳に携帯電話のスピーカ部を近づけても、受信音声を聞くことができない。
【０００４】
従って、通常は、イヤフォンを外し、携帯電話の着信ボタンを押し、携帯電話のスピーカ部を耳にあてることになる。この操作は面倒であり、しばしば、電話に出るのが遅れることになる。
【０００５】
本発明は、このような面倒な操作を不要にする音声出力装置を提示することを目的とする。
【課題を解決するための手段】
【０００６】
本発明に係る音声出力装置は、第１の音声信号が入力する第１音声入力手段と、第２の音声信号が入力する第２音声入力手段と、スピーカと、当該第１音声入力手段により入力される当該第１の音声信号と、当該第２音声入力手段により入力される当該第２の音声信号を指定合成比で合成し、当該スピーカに出力する合成装置と、当該第２音声入力手段からの音声入力に応じて、当該第１の音声信号の音量を下げるように当該合成装置の当該合成比を制御する制御装置とを具備することを特徴とする。
【発明の効果】
【０００７】
本発明によれば、第２の音声信号の入力に応じて、第１の音声信号をミュート又は低音量にし、且つ第２の音声信号をスピーカから出力することができるので、スピーカを耳から離すといった面倒な操作をしなくてよくなる。
【発明を実施するための最良の形態】
【０００８】
以下、図面を参照して、本発明の実施例を詳細に説明する。
【０００９】
図１は、本発明の一実施例であるヘッドフォン１０と、音楽再生装置１２と、携帯端末１４との関係を示す概略構成図である。携帯端末１４は、例えば、携帯電話器であり、音声を図示しないスピーカから出力するか、発光素子１６から赤外線信号として出力するか、その両方かを選択できるようになっている。
【００１０】
ヘッドフォン１０は、ステレオに対応する２つのスピーカ２０，２２を有する。一方のスピーカ２０は、音楽再生装置１２のステレオ音声の一方の出力（図示例では、Ｌ信号）に接続する。他方のスピーカ２２と音楽再生装置１２のＲ出力との間には、音楽再生装置１２のＲ出力と、携帯端末１４からの音声信号を切り替える切替え装置２４が接続する。勿論、スピーカ２０にも、切替え装置２４と同様の機能の切替え装置を接続しても良い。切替え装置２４をどちらのスピーカ２０，２２に接続するかは、利用者が、どちらの耳で携帯端末１４からの音声を聞きたいかによる。この点で、切替え装置２４は、スピーカ２２から取り外し可能であると便利である。
【００１１】
本実施例では、携帯端末１４は、受信音声を赤外線信号に載せて外部に出力する。携帯端末１４は、そのための発光素子１６を具備する。赤外線の他に、無線信号、又は、音声そのものでも、受信音声を切替え装置２４に伝送してもよい。
【００１２】
図２は、切替え装置２４の概略構成ブロック図を示す。切替え装置２４は、音楽再生装置１２のＲ出力信号が入力する音声入力端子３０と、携帯端末１４からの赤外線信号を受光する受光素子３２を具備する。
【００１３】
音声入力端子３０に入力した音声信号は、可変利得増幅器３４と、モニタ回路３６に入力する。モニタ回路３６は、音声入力端子３０からの音声信号のレベルを監視して、その監視結果を中央制御装置３８に供給する。この監視結果を使って、中央制御装置３８は、例えば、無音の場合に、音声入力端子３０からの音声信号をミュートするといった制御を行う。
【００１４】
他方、受光素子３２は、携帯端末１４からの赤外線信号を受光して、電気信号に変換する。復調器４０は、受光素子３２の出力電気信号を復調して、音声信号を再生する。復調器４０は、復調状態と結果を中央制御装置３８に通知する。受光素子３２の出力電気信号のレベルが低すぎる場合、又は、有効な音声信号を再生できない場合に、中央制御装置３８は、携帯端末１４からの音声の出力を無視又はミュートするといった制御を行う。復調器４０で再生された音声信号は、可変利得増幅器４２に供給される。
【００１５】
可変利得増幅器３４は、中央制御装置３８の制御下で、音声入力端子３０からの音声信号を増幅する。同様に、可変利得増幅器４２は、中央制御装置３８の制御下で、復調器４０からの音声信号を増幅する。ミキサ４４は、可変利得増幅器３４，４２の出力音声信号を混合し、混合した音声信号をスピーカ２２に出力する。
【００１６】
可変利得増幅器３４，４２及びミキサ４４からなる部分は、特許請求の範囲にいう合成装置に対応する。合成装置の合成比は、可変利得増幅器３４，４２の利得で決定される。
【００１７】
中央制御装置３８は、モニタ回路３６の監視結果及び復調器４０からの通知に従い、可変利得増幅器３４，４２を次のように制御する。
【００１８】
第１に、音声入力端子３０に音声信号が入力し、携帯端末１４からの音声信号が入力していない状態では、中央制御装置３８は、Ｒ音声の出力音量が適正なレベルになるように、可変利得増幅器３４の利得を制御し、且つ、可変利得増幅器４２をミュート状態に制御する。この状態は、単に、音楽再生装置１２で再生される音楽を聴いている状態である。携帯端末１４からの音声のレベルが所定閾値よりも低い場合には、携帯端末１４からの音声信号が入力していないとして処理される。
【００１９】
第２に、音声入力端子３０からも携帯端末１４からも音声信号が入力していない状態では、中央制御装置３８は、可変利得増幅器３４，４２を共にミュート状態に制御する。この状態は、例えば、耳にイヤフォンを装着しているものの、音楽再生装置１２を未だ再生せず、かつ，携帯端末１４の着信が無い状態である。
【００２０】
音楽再生装置１２により再生される音楽を聴いている状態（第１の状態）で、携帯端末１４が着呼したとする。勿論、このような使用状況を想定して、携帯端末１４の音声出力モードを予め、着信音声を発光素子１６から出力するモードに設定しておく。ユーザが、携帯端末１４の図示しない電話開始ボタンを押して電話相手に接続し、携帯端末１４を右耳に近づけると、より具体的には、発光素子１６の赤外線出力が受光素子２４に入射する位置に近づけると、発光素子１６から出力される着信音声を搬送する赤外線信号が、受光素子３２に入射する。
【００２１】
受光素子３２は、赤外線信号を電気信号に変換する。復調器４０は、受光素子３２の出力電気信号を復調して、音声信号を可変利得増幅器４２に供給すると共に、携帯端末１４からの音声入力を中央制御装置３８に通知する。中央制御装置３８は、復調器４０からのこの通知に従い、可変利得増幅器３４をミュート状態に制御し、且つ、可変利得増幅器４２を、携帯端末１４の受信音声をスピーカ２２で聞くのに充分なレベルに増幅する利得に制御する。この制御の結果、ユーザは、音楽再生装置１２の再生音声に邪魔されずに、携帯端末１４の着信音声をスピーカ２２から聞くことができる。このとき、中央制御装置３８は、可変利得増幅器３４をミュート状態に制御する代わりに、再生音楽が背景音としてかすかに聞こえる程度の利得に下げても良い。
【００２２】
携帯端末１４の受信音声を聞く必要がなくなれば、ユーザは、携帯端末１４の発光素子１６を受光素子３２から離して、赤外線信号が受光素子３２に入らないようにすればよい。また、電話が終了した場合、ユーザの切断操作で、発光素子１６からの赤外線信号出力が停止するので、携帯端末１４をその場に保持しても、受光素子３２には赤外線信号が入力しなくなる。
【００２３】
この状態では、復調器４０に、受光素子３２から充分な強さの電気信号が入力しなくなる。復調器４０は、携帯端末１４からの音声入力が無くなったことを中央制御装置３８に通知する。中央制御装置３８はこの通知に従い、可変利得増幅器４２をミュート状態に制御する。このとき、音楽再生装置１２からの再生音声が音声入力端子３０に入力していれば、中央制御装置３８は、スピーカ２２での再生音声の出力音量が適正なレベルになるように、可変利得増幅器３４の利得を制御する。音楽再生装置１２からの再生音声が音声入力端子３０に入力していなければ、中央制御装置３８は、可変利得増幅器３４をミュート状態に制御する。
【００２４】
このように、本実施例では、携帯端末１４の着信があった場合、ヘッドフォン１０を耳から外す操作無しで、携帯端末１４の受信音声を聞くことができる。
【００２５】
携帯端末１４の受信音声を聞くときに、音声再生装置１２の再生音声を完全にミュートする場合、可変利得増幅器３４，４２及びミキサ４４の代わりに切替えスイッチを配置し、そのスイッチでどちらの音声をスピーカ２２から出力するかを選択しても良い。
【００２６】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２７】
【図１】本発明の一実施例と音楽再生装置及び携帯端末との関係を示す概略構成図である。
【図２】切替え回路２４の概略構成ブロック図である。
【符号の説明】
【００２８】
１０：ヘッドフォン
１２：音楽再生装置
１４：携帯端末
１６：発光素子
２０，２２：スピーカ
２４：切替え装置
３０：音声入力端子
３２：受光素子
３４：可変利得増幅器
３６：モニタ回路
３８：中央制御装置
４０：復調器
４２：可変利得増幅器
４４：ミキサ
【図１】
2007036908.tif 000003
【図２】
2007036908.tif 000004